【手続補正書】
【提出日】平成23年3月10日(2011.3.10)
【手続補正１】
【補正対象書類名】特許請求の範囲
【補正対象項目名】全文
【補正方法】変更
【補正の内容】
【特許請求の範囲】
【請求項１】
リムと、溝付端面と、エクステンションを有するほぼ楕円形の円筒状のハウジングと；
前記溝付端面固定されたマウント・アセンブリであり、拡張可能な第１のラッチおよび拡張可能な第２のラッチを具え、当該第１のラッチおよび第２のラッチがそれぞれ、拡張していない場合に前記リムと実質的に同一面であるファスナ・バーを具えるマウント・アッセンブリと；
前記マウント・アセンブリと溝付端部を通る第１の開口と；
前記エクステンションを通る第２の開口と；
前記ハウジング内部に格納された制御システムであって、通信コントローラを有する制御システムと；
前記通信コントローラに接続され、前記第１の開口から突出している通信プラグと；
前記通信コントローラに接続され、前記第２の開口に露出した通信ポートとを具えることを特徴とする減圧治療コンポーネント・モジュール。
【請求項２】
請求項１に記載のモジュールにおいて、前記通信コントローラはコントローラ・エリア・ネットワーク・コントローラであることを特徴とするモジュール。
【請求項３】
請求項１に記載のモジュールにおいて、前記エクステンションが、第１のリッジと、この第１のリッジに対向している第２のリッジを具えることを特徴とするモジュール。
【請求項４】
請求項１に記載のモジュールにおいて、前記第２のラッチが軸を中心に回転して、前記ファスナ・バーを拡張することを特徴とするモジュール。
【請求項５】
治療コントローラと通信コントローラを持つ制御システムと；
当該通信コントローラに接続された通信ポートと；
前記治療コントローラに接続された減圧源と；
当該減圧源と流体連通しているマニフォールド・ユニットと；
前記通信ポートを介して制御システムに接続された取外し可能なコンポーネント・モジュールと；
制御システムを内蔵する第１のハウジングであって、ショルダーとエクステンション表面を具える第１のハウジングと；
コンポーネント・モジュールを内蔵する第２ハウジングであって、リムと溝付端面を具える第２ハウジングと；
ラッチを有するマウント・アセンブリと；
当該マウント・アセンブリと前記溝付端面を通る第１の開口と；
前記通信ポートがそれを通って前記エクステンション表面に露出している第２の開口であって、前記第１の開口と整列している第２の開口とを具え、
前記溝付端面が前記エクステンション表面を受けて、前記ラッチが前記エクステンション表面に連結して、前記第２ハウジングを前記第１ハウジングに取付けることを特徴とする減圧治療システム。
【請求項６】
請求項５に記載のシステムにおいて、前記エクステンション表面がリッジを具え、前記ラッチが前記リッジに連結して、前記第２ハウジングを前記第１ハウジングに取付けることを特徴とするシステム。
【請求項７】
請求項５に記載のシステムにおいて、前記エクステンション表面がリッジを具え、前記ラッチが、前記第２ハウジングを前記第１ハウジングに取付けるための前記リッジに重なるファスナ・バーを具えることを特徴とするシステム。
【請求項８】
請求項５に記載のシステムにおいて、前記エクステンション表面が第１のリッジと第２のリッジを具え、前記マウント・アセンブリが、前記第２ハウジングを前記第１ハウジングに取付けるために、前記第１のリッジと前記第２のリッジに重なる第１のファスナ・バーと第２のファスナ・バーを具えることを特徴とするシステム。
【請求項９】
請求項５に記載のシステムにおいて、前記第１のハウジングと第２のハウジングが実質的に楕円形の円筒であることを特徴とするシステム。
【請求項１０】
治療コントローラと通信コントローラを持つ制御システムと；
当該通信コントローラに接続された通信ポートと；
前記治療コントローラに接続された減圧源と；
当該減圧源と流体連通しているマニフォールド・ユニットと；
前記通信ポートを介して制御システムに接続された取外し可能なコンポーネント・モジュールとを具え、
前記通信コントローラがコントローラ・エリア・ネットワーク・コントローラであることを特徴とする減圧治療システム。
【請求項１１】
治療コントローラと通信コントローラを持つ制御システムと；
当該通信コントローラに接続された通信ポートと；
前記治療コントローラに接続された減圧源と；
当該減圧源と流体連通しているマニフォールド・ユニットと；
前記通信ポートを介して制御システムに接続された取外し可能なコンポーネント・モジュールとを具え、
前記コンポーネント・モジュールが創傷カメラであることを特徴とする減圧治療システム。
【請求項１２】
治療コントローラと通信コントローラを持つ制御システムと；
当該通信コントローラに接続された通信ポートと；
前記治療コントローラに接続された減圧源と；
当該減圧源と流体連通しているマニフォールド・ユニットと；
前記通信ポートを介して制御システムに接続された取外し可能なコンポーネント・モジュールとを具え、
前記コンポーネント・モジュールが循環性皮膚ストレッチャ（ｃｙｃｌｉｃ  ｓｋｉｎ  ｓｔｒｅｔｃｈｅｒ）であることを特徴とする減圧治療システム。
【請求項１３】
治療コントローラと通信コントローラを持つ制御システムと；
当該通信コントローラに接続された通信ポートと；
前記治療コントローラに接続された減圧源と；
当該減圧源と流体連通しているマニフォールド・ユニットと；
前記通信ポートを介して制御システムに接続された取外し可能なコンポーネント・モジュールとを具え、
前記コンポーネント・モジュールは容量型創傷輪郭マッピング・モジュールであることを特徴とする減圧治療システム。
【請求項１４】
治療コントローラと通信コントローラを持つ制御システムと；
当該通信コントローラに接続された通信ポートと；
前記治療コントローラに接続された減圧源と；
当該減圧源と流体連通しているマニフォールド・ユニットと；
前記通信ポートを介して制御システムに接続された取外し可能なコンポーネント・モジュールとを具え、
前記コンポーネント・モジュールが創傷床ｐＨモニタであることを特徴とする減圧治療システム。
【請求項１５】
治療コントローラと通信コントローラを持つ制御システムと；
当該通信コントローラに接続された通信ポートと；
前記治療コントローラに接続された減圧源と；
当該減圧源と流体連通しているマニフォールド・ユニットと；
前記通信ポートを介して制御システムに接続された取外し可能なコンポーネント・モジュールとを具え、
前記コンポーネント・モジュールは創傷部環境制御モジュールであることを特徴とする減圧治療システム。
【請求項１６】
治療コントローラと通信コントローラを持つ制御システムと；
当該通信コントローラに接続された通信ポートと；
前記治療コントローラに接続された減圧源と；
当該減圧源と流体連通しているマニフォールド・ユニットと；
前記通信ポートを介して制御システムに接続された取外し可能なコンポーネント・モジュールとを具え、
前記コンポーネント・モジュールが創傷部温湿度モニタであることを特徴とする減圧治療システム。
【請求項１７】
治療コントローラと通信コントローラを持つ制御システムと；
当該通信コントローラに接続された通信ポートと；
前記治療コントローラに接続された減圧源と；
当該減圧源と流体連通しているマニフォールド・ユニットと；
前記通信ポートを介して制御システムに接続された取外し可能なコンポーネント・モジュールとを具え、
前記コンポーネント・モジュールは電気刺激モジュールであることを特徴とする減圧治療システム。
【請求項１８】
治療コントローラと通信コントローラを持つ制御システムと；
当該通信コントローラに接続された通信ポートと；
前記治療コントローラに接続された減圧源と；
当該減圧源と流体連通しているマニフォールド・ユニットと；
前記通信ポートを介して制御システムに接続された取外し可能なコンポーネント・モジュールとを具え、
前記コンポーネント・モジュールは紫外線治療モジュールであることを特徴とする減圧治療システム。
【請求項１９】
治療コントローラと通信コントローラを持つ制御システムと；
当該通信コントローラに接続された通信ポートと；
前記治療コントローラに接続された減圧源と；
当該減圧源と流体連通しているマニフォールド・ユニットと；
前記通信ポートを介して制御システムに接続された取外し可能なコンポーネント・モジュールとを具え、
前記コンポーネント・モジュールが創傷治癒マーカ測定モジュールであることを特徴とする減圧治療システム。